(57)【要約】【課題】携帯電話機を購入後にユーザの好みの機能を付加する。【解決手段】本体部１０へ背面パネル２０を着脱自在な構成とした携帯電話機であって、本体部１０が、背面パネル２０を着脱する着脱部３０と、背面パネル２０を判別する検出部１０１と、検出部１０１の出力に基づき本体部１０が有する所定機能及び背面パネル２０が有する付加機能を設定変更する制御部１０２と、を備え、背面パネル２０が、背面パネル２０を識別する背面パネル識別信号２０７を出力する背面パネル識別部２０１と、制御部１０２が出力する設定変更信号１０７を入力して付加機能を制御する付加機能制御部２０２と、付加機能制御部２０２の出力によって制御される付加機能を有する付加機能部２０３と、を備える。【選択図】      図１
2004172654.tif 000002
【特許請求の範囲】
【請求項１】
背面パネルを本体部へ着脱自在な構成とした携帯電話機であって、
前記背面パネルのタイプを判別する検出部と、
前記検出部の出力に基づき前記本体部が有する所定機能を設定変更する制御部と、
を備えることを特徴とする携帯電話機。
【請求項２】
前記背面パネルが、前記本体部に配設された背面表示部の少なくとも一部を露出させる開口部を備え、
前記制御部が、装着された前記背面表示部の背面表示使用領域を前記開口部の形状に合わせるように制御することを特徴とする請求項１に記載の携帯電話機。
【請求項３】
前記背面表示部が、少なくとも一部領域にタッチパネルの機能を備え、
前記制御部が、装着された前記背面パネルの開口部の形状に合わせて前記タッチパネルの領域を制御することを特徴とする請求項２に記載の携帯電話機。
【請求項４】
本体部へ背面パネルを着脱自在な構成とした携帯電話機であって、
前記本体部が、
前記背面パネルを着脱する着脱部と、前記背面パネルのタイプを判別する検出部と、前記検出部の出力に基づき前記本体部が有する所定機能及び前記背面パネルが有する付加機能を設定変更する制御部と、を備え、
前記背面パネルが、
前記背面パネルを識別する背面パネル識別信号を出力する背面パネル識別部と、前記制御部が出力する信号を入力して前記付加機能を制御する付加機能制御部と、前記付加機能制御部の出力によって制御される付加機能を有する付加機能部と、を備えることを特徴とする携帯電話機。
【請求項５】
背面パネルを本体部へ着脱自在な構成とした携帯電話機であって、
前記本体部が、
前記背面パネルを着脱する着脱部と、前記着脱部に配設された背面表示部と、前記背面パネルのタイプを判別する検出部と、前記検出部の出力に基づき前記本体部が有する所定機能及び前記背面パネルが有する付加機能を設定変更する制御部と、を備え、
前記背面パネルが、
前記背面表示部を露出させる開口部と、前記背面パネルを識別する背面パネル識別信号を出力する背面パネル識別部と、前記制御部が出力する信号を入力して前記付加機能を制御する付加機能制御部と、前記付加機能制御部の出力によって制御される付加機能を有する付加機能部と、を備え、
前記背面表示部が、少なくとも一部領域にタッチパネルの機能を備え、
前記制御部が前記タッチパネルの領域を前記開口部の形状に合わせて制御することを特徴とする携帯電話機。
【請求項６】
フェースプレートを本体部へ着脱自在な構成とした携帯電話機であって、
前記フェースプレートが、
前記フェースプレートのタイプを識別するフェースプレート識別信号を出力するフェースプレート識別部を備え、
前記本体部が、
前記フェースプレート識別信号を入力して前記フェースプレートのタイプを判別してタイプ判別信号を出力する検出部と、
前記タイプ判別信号を入力して前記本体部が有する所定機能を設定変更する制御部と、を備えることを特徴とする携帯電話機。
【請求項７】
前記フェースプレートが、
前記フェースプレート識別信号を前記本体部へ伝送する第１結合手段と、
前記フェースプレートを前記本体部へ嵌合させる第１装着手段と、をさらに備え、
前記本体部が、
前記第１結合手段に結合する第２結合手段と、
前記第１装着手段に嵌合する第２装着手段と、をさらに備えることを特徴とする請求項６に記載の携帯電話機。
【請求項８】
前記所定機能が、
アイコン含む表示、着信報知音を含む音、所定メモリ領域へのメモリアクセス、通話制限を含む通信制限のうちの少なくとも一つであることを特徴とする請求項１、４、５、６のいずれかに記載の携帯電話機。
【請求項９】
前記付加機能が、
カメラ機能、スピーカ機能、ＬＣＤ表示機能、タッチパネル表示機能のうちの少なくとも一つであることを特徴とする請求項４又は５に記載の携帯電話機。
【請求項１０】
本体部へ背面パネルを着脱自在な構成とした携帯電話機の背面パネル装着方法であって、
前記背面パネルの装着を検出する装着検出ステップと、
装着された前記背面パネルのタイプを判別するタイプ判別ステップと、
前記本体部が有する所定機能の設定を変更する所定機能設定変更ステップと、
を備えることを特徴とする携帯電話機の背面パネル装着方法。
【請求項１１】
前記タイプ判別ステップと前記所定機能設定変更ステップとの間に、
前記背面パネルの装着に伴う前記所定機能の設定変更を行なうか否かを利用者による認証によって確認する機能設定変更確認ステップを備えることを特徴とする請求項１０に記載の携帯電話機の背面パネル装着方法。
【請求項１２】
背面パネルを本体部へ着脱自在な構成とした携帯電話機の背面パネル装着方法であって、
前記背面パネルの装着を検出する装着検出ステップと、
装着された前記背面パネルのタイプを判別するタイプ判別ステップと、
前記本体部が有する所定機能を設定変更する所定機能設定変更ステップと、
前記背面パネルが有する付加機能の設定を変更する付加機能設定変更ステップと、
を備えることを特徴とする携帯電話機の背面パネル装着方法。
【請求項１３】
前記タイプ判別ステップと前記所定機能設定変更ステップとの間に、
前記背面パネルの装着に伴う前記所定機能及び前記付加機能の設定変更を行なうか否かを利用者による認証によって確認する機能設定変更確認ステップを備えることを特徴とする請求項１２に記載の携帯電話機の背面パネル装着方法。
【請求項１４】
前記所定機能設定変更ステップが、
装着された前記背面パネルの開口部の形状に合わせて前記本体部が有する背面表示部の背面表示使用領域を設定変更することを特徴とする請求項１２に記載の携帯電話機の背面パネル装着方法。
【請求項１５】
前記所定機能が、
アイコン含む表示、着信報知音を含む音、所定メモリ領域へのメモリアクセス、通話制限を含む通信制限のうちの少なくとも一つであることを特徴とする請求項１０又は１２に記載の携帯電話機の背面パネル装着方法。
【請求項１６】
前記付加機能が、
カメラ機能、スピーカ機能、ＬＣＤ表示機能、タッチパネル表示機能のうちの少なくとも一つであることを特徴とする請求項１２に記載の携帯電話機の背面パネル装着方法。
【請求項１７】
フェースプレートを本体部へ着脱自在な構成とした携帯電話機のフェースプレート装着方法であって、
前記フェースプレートが装着される装着ステップと、
装着された前記フェースプレートのタイプを判別するタイプ判別ステップと、
前記フェースプレートのタイプに合わせ前記本体部が有する所定機能の設定を変更する所定機能設定変更ステップと、
を備えることを特徴とする携帯電話機のフェースプレート装着方法。
【請求項１８】
前記所定機能が、
アイコンを含む表示、着信報知音を含む音、所定メモリ領域へのメモリアクセス、通話制限を含む通信制限のうちの少なくとも一つであることを特徴とする請求項１７に記載の携帯電話機のフェースプレート装着方法。
【発明の詳細な説明】
【０００１】
【発明の属する技術分野】
本発明は携帯電話機の改良に関し、特に携帯電話機の所定機能の設定、携帯電話機の機能に発展性を持たせる付加機能を有する背面パネルの着脱及びフェースプレートの着脱を行う携帯電話機に関する。
【０００２】
【従来の技術】
携帯電話機の色柄や模様、材質感等を異にして多数個用意された化粧パネルを、ユーザが好みに応じて選択して表示部本体に対して着脱自在に組み付け得るように構成し、オリジナル性が極めて豊かな形態を創出する携帯電話機が特開２００２−１２５０２２号公報に開示されている。この公報では、着脱自在の化粧パネルを設けたことによって、容易にかつ低コストで携帯電話機の意匠を変更することができ、ユーザの好みに応じたデザインを有する携帯電話機を得ている。
【０００３】
【特許文献１】
特開２００２−１２５０２２号公報（特許請求の範囲、図１）
【０００４】
【発明が解決しようとする課題】
このように、従来の携帯電話機においては、ユーザの好みに応じたデザインを有する携帯電話機を得ることはできるが、ユーザが各種携帯電話機のモデルから任意の１機種を選択して購入したら、新しい機種を購入するまでは購入した機種の機能を設定変更することができい。従って、ユーザが携帯電話機を購入後にユーザの好みの機能を付加することが出来ず、ユーザの要望に応えることができないという問題点があった。
【０００５】
本発明は、このような問題点を解決するためになされたもので、例えば、標準背面パネルを装着した携帯電話機をユーザが購入した場合、標準背面パネルを取外し、例えばカメラ機能付の背面パネルを装着して、カメラ機能の付いた携帯電話機を容易に実現することを目的とする。更に、機能などの付加を行い用途に合わせたカスタマイズでの発展性を持たせることを目的とする。
【０００６】
【課題を解決するための手段】
本発明の携帯電話機は、背面パネルを本体部へ着脱自在な構成とした携帯電話機であって、前記背面パネルのタイプを判別する検出部と、前記検出部の出力に基づき前記本体部が有する所定機能を設定変更する制御部と、を備えることを特徴とする。
【０００７】
本発明の携帯電話機は、前記背面パネルが、前記本体部に配設された背面表示部の少なくとも一部を露出させる開口部を備え、前記制御部が、装着された前記背面表示部の背面表示使用領域を前記開口部の形状に合わせるように制御することを特徴とする。
【０００８】
本発明の携帯電話機は、前記背面表示部が、少なくとも一部領域にタッチパネルの機能を備え、前記制御部が、装着された前記背面パネルの開口部の形状に合わせて前記タッチパネルの領域を制御することを特徴とする。
【０００９】
本発明の携帯電話機は、本体部へ背面パネルを着脱自在な構成とした携帯電話機であって、前記本体部が、前記背面パネルを着脱する着脱部と、前記背面パネルのタイプを判別する検出部と、前記検出部の出力に基づき前記本体部が有する所定機能及び前記背面パネルが有する付加機能を設定変更する制御部と、を備え、前記背面パネルが、前記背面パネルを識別する背面パネル識別信号を出力する背面パネル識別部と、前記制御部が出力する信号を入力して前記付加機能を制御する付加機能制御部と、前記付加機能制御部の出力によって制御される付加機能を有する付加機能部と、を備えることを特徴とする。
【００１０】
本発明の携帯電話機は、背面パネルを本体部へ着脱自在な構成とした携帯電話機であって、前記本体部が、前記背面パネルを着脱する着脱部と、前記着脱部に配設された背面表示部と、前記背面パネルのタイプを判別する検出部と、前記検出部の出力に基づき前記本体部が有する所定機能及び前記背面パネルが有する付加機能を設定変更する制御部と、を備え、前記背面パネルが、前記背面表示部を露出させる開口部と、前記背面パネルを識別する背面パネル識別信号を出力する背面パネル識別部と、前記制御部が出力する信号を入力して前記付加機能を制御する付加機能制御部と、前記付加機能制御部の出力によって制御される付加機能を有する付加機能部と、を備え、前記背面表示部が、少なくとも一部領域にタッチパネルの機能を備え、前記制御部が前記タッチパネルの領域を前記開口部の形状に合わせて制御することを特徴とする。
【００１１】
本発明の携帯電話機は、フェースプレートを本体部へ着脱自在な構成とした携帯電話機であって、前記フェースプレートが、前記フェースプレートのタイプを識別するフェースプレート識別信号を出力するフェースプレート識別部を備え、前記本体部が、前記フェースプレート識別信号を入力して前記フェースプレートのタイプを判別してタイプ判別信号を出力する検出部と、前記タイプ判別信号を入力して前記本体部が有する所定機能を設定変更する制御部と、を備えることを特徴とする。
【００１２】
本発明の携帯電話機は、前記フェースプレートが、前記フェースプレート識別信号を前記本体部へ伝送する第１結合手段と、前記フェースプレートを前記本体部へ嵌合させる第１装着手段と、をさらに備え、前記本体部が、前記第１結合手段に結合する第２結合手段と、前記第１装着手段に嵌合する第２装着手段と、をさらに備えることを特徴とする。
【００１３】
本発明の携帯電話機は、前記所定機能が、アイコン含む表示、着信報知音を含む音、所定メモリ領域へのメモリアクセス、通話制限を含む通信制限のうちの少なくとも一つであることを特徴とする。
【００１４】
本発明の携帯電話機は、前記付加機能が、カメラ機能、スピーカ機能、ＬＣＤ表示機能、タッチパネル表示機能のうちの少なくとも一つであることを特徴とする。
【００１５】
本発明の携帯電話機の背面パネル装着方法は、本体部へ背面パネルを着脱自在な構成とした携帯電話機の背面パネル装着方法であって、前記背面パネルの装着を検出する装着検出ステップと、装着された前記背面パネルのタイプを判別するタイプ判別ステップと、前記本体部が有する所定機能の設定を変更する所定機能設定変更ステップと、備えることを特徴とする。
【００１６】
本発明の携帯電話機の背面パネル装着方法は、前記タイプ判別ステップと前記所定機能設定変更ステップとの間に、前記背面パネルの装着に伴う前記所定機能の設定変更を行なうか否かを利用者による認証によって確認する機能設定変更確認ステップを備えることを特徴とする。
【００１７】
本発明の携帯電話機の背面パネル装着方法は、背面パネルを本体部へ着脱自在な構成とした携帯電話機の背面パネル装着方法であって、前記背面パネルの装着を検出する装着検出ステップと、装着された前記背面パネルのタイプを判別するタイプ判別ステップと、前記本体部が有する所定機能を設定変更する所定機能設定変更ステップと、前記背面パネルが有する付加機能の設定を変更する付加機能設定変更ステップと、を備えることを特徴とする。
【００１８】
本発明の携帯電話機の背面パネル装着方法は、前記タイプ判別ステップと前記所定機能設定変更ステップとの間に、前記背面パネルの装着に伴う前記所定機能及び前記付加機能の設定変更を行なうか否かを利用者による認証によって確認する機能設定変更確認ステップを備えることを特徴とする。
【００１９】
本発明の携帯電話機の背面パネル装着方法は、前記所定機能設定変更ステップが、装着された前記背面パネルの開口部の形状に合わせて前記本体部が有する背面表示部の背面表示使用領域を設定変更することを特徴とする。
【００２０】
本発明の携帯電話機の背面パネル装着方法は、前記所定機能が、アイコン含む表示、着信報知音を含む音、所定メモリ領域へのメモリアクセス、通話制限を含む通信制限のうちの少なくとも一つであることを特徴とする。
【００２１】
本発明の携帯電話機の背面パネル装着方法は、前記付加機能が、カメラ機能、スピーカ機能、ＬＣＤ表示機能、タッチパネル表示機能のうちの少なくとも一つであることを特徴とする。
【００２２】
本発明の携帯電話機のフェースプレート装着方法は、フェースプレートを本体部へ着脱自在な構成とした携帯電話機のフェースプレート装着方法であって、前記フェースプレートが装着される装着ステップと、装着された前記フェースプレートのタイプを判別するタイプ判別ステップと、前記フェースプレートのタイプに合わせ前記本体部が有する所定機能の設定を変更する所定機能設定変更ステップと、を備えることを特徴とする。
【００２３】
本発明の携帯電話機のフェースプレート装着方法は、前記所定機能が、アイコンを含む表示、着信報知音を含む音、所定メモリ領域へのメモリアクセス、通話制限を含む通信制限のうちの少なくとも一つであることを特徴とする。
【００２４】
【発明の実施の形態】
《第１の実施形態》最初に、第１の実施形態の概略を説明する。第１の実施形態は、本体部１０が所定機能（表示、音、メモリアクセス、通信制限などの機能）を有し、背面パネル２０が付加機能（カメラ、スピーカ、表示などの機能）を有しており、背面パネル２０を着脱（交換、取外し／装着）して適宜の所定機能及び適宜の付加機能を選択する形態である。所定機能の設定変更は背面パネル２０の装着を検出した本体部１０の制御部１０２によって行われ、付加機能の制御は、付加機能制御部２０２によって行われる。背面表示部３３（図６参照）自体も他の背面パネル２０と共に交換され、図１（ｅ）に示す表示（ＬＣＤ）機能付２３以外の背面パネル２０を装着すれば、背面表示部３３がない形態となる（図１参照）。
【００２５】
次に、第１の実施形態について図面を参照して詳細に説明する。
【００２６】
図１は、本発明の第１の実施形態を示す携帯電話機の構成図である。（ａ）は背面パネル２０を取り外した状態を示し、（ｂ）は背面パネル２０のうち、表示（ＬＣＤ）機能付２３を装着した状態を示す。背面パネル２０をアタッチメントとも称するが、以下の説明では、背面パネル２０を用いる。携帯電話機１は、図１（ａ）、（ｂ）に示すように折り畳み型を基本構成とし、本体部１０と背面パネル２０とヒンジ部４０とで構成される。本体部１０は操作部１１と着脱部３０とから成り、操作部１１は電源部１０３を含み、着脱部３０は検出端子１０４、電源端子１０５を含み、ヒンジ部４０は操作部１１と着脱部３０とを回転自在に結合する。
【００２７】
図１（ｃ）〜（ｇ）に示す背面パネル２０は、撮像機能（カメラ機能）、発光機能、音響機能（スピーカ機能など）、表示機能（ＬＣＤ表示機能、タッチパネル表示機能）、指紋を含む認証機能等の付加機能を備えている。（ｃ）は背面パネル２０のタイプのうち付加機能としてカメラ機能の付いたカメラ機能付２１、（ｄ）は背面パネル２０のタイプのうち付加機能としてスピーカ機能の付いたスピーカ機能付２２、（ｅ）は背面パネル２０のタイプのうち付加機能として表示（ＬＣＤ）機能の付いた表示（ＬＣＤ）機能付２３、（ｆ）は背面パネル２０のタイプのうち表示（タッチパネル）機能の付いた表示（タッチパネル）機能付２４である。（ｇ）は背面パネル２０のタイプのうち付加機能を有しない標準背面パネルである開口部付２５であり、後述する第３の実施形態の例であるが、他の背面パネル２０と対比させるため図１に示した。
【００２８】
図２は、本発明の携帯電話機の背面パネルの着脱を示す着脱図であって、表示（ＬＣＤ）機能付２３が着脱方向３１に沿って着脱部３０へ着脱される様子を一例として示す。（ａ）は表示（ＬＣＤ）機能付２３を着脱部３０へ装着する前の状態、（ｂ）は表示（ＬＣＤ）機能付２３を着脱部３０へ装着した後の状態を示す。この着脱の場合は、表示（ＬＣＤ）機能付２３などの背面パネル２０は、内部に空洞を有し、着脱部３０の全体又は一部を覆うように着脱される。言い換えれば、着脱部３０が表示（ＬＣＤ）機能付２３の内部へ差し込まれるように装着される。表示（ＬＣＤ）機能付２３に凹部溝又は凸部突起を備え（他の背面パネル２０も同様に凹部溝又は凸部突起を備える）、着脱部３０に凸部突起又は凹部溝を備えて、凹部と凸部とを嵌合させることによって、着脱は容易になる。着脱は、凹部溝と凸部突起との嵌合以外にビスや嵌め込み機構を用いる装着手段で行ってもよい。表示（ＬＣＤ）機能付２３が装着されると、電源端子２０６と電源端子１０５とが機械的に接触するか又は電磁誘導的に結合し、検出端子２０５と検出端子１０４とが機械的に接触するか又は電磁誘導的に結合し、操作部１１の電源部１０３から表示（ＬＣＤ）機能付２３へ電力が供給され、装着された背面パネル２０のタイプ（この場合は、表示（ＬＣＤ）機能付２３）が背面パネル識別信号２０７（図４参照）を検出することによって判別される。
【００２９】
図３は、本発明の携帯電話機の背面パネルの着脱を示す着脱図であって、表示（ＬＣＤ）機能付２３が着脱方向３１、３２に沿って着脱部３０へ着脱される様子を一例として示す。（ａ）は表示（ＬＣＤ）機能付２３を着脱部３０へ装着する前の状態、（ｂ）はコの字状に変形した表示（ＬＣＤ）機能付２３を着脱部３０へ装着した後の状態、（ｃ）は平板状に変形した表示（ＬＣＤ）機能付２３を着脱部３０へ装着した後の状態を示す。表示（ＬＣＤ）機能付２３などの背面パネル２０は、内部が空洞になっておらず、着脱部３０の背面側に着脱される。表示（ＬＣＤ）機能付２３の取り外し／装着（着脱）は、ビスや嵌め込み機構を用いる装着手段で結合する。特に、着脱方向３０の場合には、方向表示（ＬＣＤ）機能付２３に凹部溝又は凸部突起を備え（他の背面パネル２０も同様に凹部溝又は凸部突起を備える）、着脱部３０に凸部突起又は凹部溝を備えて、凹部溝と凸部突起とを結合させると、装着がより容易である。図４は、本発明による携帯電話機１のブロック図である。本体部１０は、検出部１０１、制御部１０２、電源部１０３、検出端子１０４、電源端子１０５を備える。検出部１０１は、背面パネル２０が出力する背面パネル識別信号２０７を入力して、背面パネル２０の装着を検出し背面パネルのタイプを判別してタイプ判別信号１０６を出力する。制御部１０２は、タイプ判別信号１０６を入力し背面パネルのタイプに合わせるか又はタイプ判別信号１０６に含まれる背面パネル識別パターンに応じた機能の設定変更信号１０７を背面パネル識別部２０１へ出力すると共に電源部１０３を制御する。電源部１０３は、本体部１０及び背面パネル２０へ電力を供給する。検出端子１０４は、背面パネル２０の検出端子２０５に機械的に接触するか又は電磁誘導的に結合して、背面パネル識別信号２０７と設定変更信号１０７とを伝送する。電源端子１０５は、背面パネル２０の電源端子２０６に機械的に接触するか又は電磁誘導的に結合して、背面パネル２０へ電力を供給する。
【００３０】
背面パネル２０は、背面パネル識別部２０１、付加機能制御部２０２、付加機能部２０３、電源制御部２０４、検出端子２０５、電源端子２０６を備える。
【００３１】
背面パネル識別部２０１は、背面パネルのタイプを識別する背面パネル識別パターンを有し、背面パネル識別信号２０７を出力すると共に設定変更信号１０７を入力して設定変更信号２０８として付加機能制御部２０２へ出力する。付加機能制御部２０２は、設定変更信号２０８を入力して、付加機能部２０３を制御する付加機能制御信号２０９を出力する。付加機能部２０３は、付加機能制御信号２０９を入力してＬＣＤの表示やタッチパネル等の付加機能の制御を行う。電源制御部２０４は、電源端子２０６を経由して電力の供給を受け、背面パネル２０の各構成品へ電力を供給する。検出端子２０５は、検出端子１０４に接触又は結合して背面パネル識別信号２０７と設定変更信号１０７とを伝送する。電源端子２０６は、電源端子１０５に接触又は結合して本体部１０から電力の供給を受ける。
【００３２】
背面パネル２０の装着を携帯電話機１が検出する手段は、背面パネル識別信号２０７を検出部１０１で検出する、本体部１０及び背面パネル２０の双方に設けた検出端子２０５と検出端子１０４との接触（導通）で検出する、背面パネル２０に設けた検出端子２０５が携帯電話機１に設けたスイッチ（図示しない）を押下する、等の方法によるものでも良い。
【００３３】
図５は、折畳み型の携帯電話機の外観図である。（ａ）は閉状態の側面図、（ｂ）は閉状態の背面図、（ｃ）は開状態の側面図、（ｄ）は開状態の正面図である。背面パネル２０は、表示（ＬＣＤ）機能付２３（図１参照）、開口部付２５（図１参照）、開口部付２８（図７参照）の外観を示している。
【００３４】
所定機能と付加機能の設定変更の一例を示す一覧表は、第２の実施形態で示す図８において説明する。
【００３５】
《第２の実施形態》最初に第２の実施形態の概略を図６、図７を参照して説明する。背面パネル２０が付加機能（カメラ、スピーカ、表示などの機能）を備えているので、背面パネル２０を着脱（交換）することによって所定機能及び付加機能における適宜の機能を選択する。本体部１０が有する所定機能（表示、音、メモリアクセス、通信制限などの機能）の設定変更は背面パネル２０の装着を検出した本体部１０の制御部１０２（図４参照）が行い、背面パネル２０が有する付加機能の設定変更などの制御は、付加機能制御部２０２（図４参照）が行う。ここまでは、第１の実施形態と同じである。ただし、次の点において第１の実施形態と相違している。つまり、本体部１０には、固定した背面表示部３３（図６参照）が配設され、背面パネル２０は背面表示部３３を露出させる窓である開口部２６ａ、２７ａ、２８ａ（図７参照）を有し、開口部２６ａ、２７ａ、２８ａの形状に合わせて背面表示部３３における背面表示使用領域を本体部１０の制御部１０２が制御してる（この部分が第１の実施形態と相違している）。
【００３６】
次に、図面を参照して第２の実施形態を詳細に説明する。第２の実施形態における着脱を示す着脱図は図２及び図３と同一であり、ブロック図は図４と同一である。図６は、本発明の第２の実施形態を示す構成図である。図６は、本発明の第２の実施形態を示す構成図である。図６は、図１（ａ）における本体部１０に背面表示部３３が配設されたものであり、その他は同一なので重複する部分の説明を省略する。図６（ａ）は、背面パネル２０を取り外した状態であり、ＬＣＤ（Ｌｉｑｕｉｄ  Ｃｒｙｓｔａｌ  Ｄｉｓｐｌａｙ：液晶ディスプレイ）やＥＬ（Ｅｌｅｃｔｏｒｏ  Ｌｕｍｉｎｅｓｃｅｎｃｅ：エレクトロルミネッセンス）による背面表示部３３が固定して配設されている。図６（ｂ）は、背面パネル２０としてスピーカ機能付２７（図７参照）を装着した状態である。例えば、背面表示部３３の少なくとも一部領域にタッチパネルの機能を備え、制御部１０２（図４参照）が背面表示部３３のタッチパネルの領域（入力機能）を、装着されたスピーカ機能付２７（図７参照）の開口部２７ａの形状（この場合は、流線形）に合わせて制御する。背面表示部３３には、図７に示すカメラ機能付２６、スピーカ機能付２７、開口部付２８を装着すると、開口部２６ａ、２８ａを介して背面表示部３３の少なくとも一部が外部に露出する。
【００３７】
図７は、本発明の第２の実施形態の携帯電話機１の背面側に着脱自在な背面パネル２０の一例であり、図５（ｂ）及び図６に示される携帯電話機１の背面側に着脱される。図７（ａ）の背面パネル２０は、付加機能としてカメラ機能が付いたカメラ機能付２６で、窓とも称される楕円形の開口部２６ａ（透明部材がはめ込まれていてもよい）とカメラ２６ｂとを備えている。図７（ｂ）の背面パネル２０は、付加機能としてスピーカ機能の付いたスピーカ機能付２７で、窓とも称される流線形の開口部２７ａ（透明部材がはめ込まれていてもよい）とスピーカ２７ｂとを備えている。図７（ｃ）の背面パネル２０は、付加機能を有しない開口部付２８で、窓とも称される長方形の開口部２８ａ（透明部材がはめ込まれていてもよい）を備えている。カメラ機能付２６、スピーカ機能付２７、開口部付２８の装着を携帯電話機１が検出するための背面パネル識別部２０１（図４参照）は、カメラ機能付２６、スピーカ機能付２７、開口部付２８においてそれぞれ異なっており、固有の背面パネル識別信号２０７を出力する。カメラ機能付２６、スピーカ機能付２７、開口部付２８の形状、機能は、これまでに説明した内容（図１、図７）に限定されるものではく、様々な形状、機能が適宜に選択可能である。
【００３８】
図８は、背面パネルの設定と所定機能及び付加機能の設定変更の一例を示す一覧表である。表示欄における背面表示使用領域ａ、ｂ、ｃを除いて、第１の実施形態にも適用される。装着される背面パネル２０のタイプによって、所定機能（アイコンを含む表示、着信報知音を含む音、所定メモリ領域へのメモリアクセス、通話制限を含む通信制限などの機能）と付加機能（撮像機能（カメラ機能）、発光機能、音響機能（スピーカ機能など）、表示機能（ＬＣＤ表示機能、タッチパネル表示機能）、指紋を含む認証機能等の付加機能）が設定変更される。
【００３９】
例えば、背面パネル２０として、カメラ機能付２６、スピーカ機能付２７、開口部付２８をそれぞれ装着することによって、図８の設定ａ、ｂ、ｃに示す所定機能のうちの少なくとも一つが設定変更され、カメラ機能、スピーカ機能などの付加機能も合わせて設定変更される。
【００４０】
所定機能の通信制限の欄に示すｗｅｂとは、インターネット・メールに関する機能制限であり、インターネットに対しては接続禁止、許可ｗｅｂサイトのみ接続可、コンテンツのダウンロード禁止などを含み、メールに対しては、メール受信拒否（自動削除）、メール送信禁止などを含んでいる。さらに、ｗｅｂには、エージェント機能が含まれている。このエージェント機能では、一定間隔で自動的にｗｅｂサーバへアクセスし、あたかも常時接続されているように常に最新のデータを読み出せるので、気象や株価情報のチェック、グループスケジュール管理等に用いられる。例えば、ビジネス用として用意された背面パネル２０を装着すると、所定サーバへのアクセスを自動的に行ない、グループメンバーの最新スケジュールを常に把握できるなどという使い方が可能になる。
【００４１】
図９は、背面パネルの装着に伴う設定変更を表すフローチャートである。このフローチャートでは、図７に示すカメラ機能付２６、スピーカ機能付２７、開口部付２８の３タイプの背面パネル２０を例に取って説明する。
【００４２】
携帯電話機１において、背面パネル２０が着脱部３０から取り外されているものとする。検出部１０１によって背面パネル２０が着脱部３０へ装着されると、この装着を検出して（Ｓ１０１のＹｅｓ）（装着検出ステップ）、どのタイプの背面パネル２０（カメラ機能付２１、スピーカ機能付２２、表示（ＬＣＤ）機能付２３、表示（タッチパネル）機能付２４、開口部付２５のいずれか一つ）が装着されたかを判別する（Ｓ１０２、Ｓ１０５、Ｓ１０８）（タイプ判別ステップ）。図７に示すカメラ機能付２６、スピーカ機能付２７、開口部付２８の背面パネル２０の装着を確認した携帯電話機１は、背面パネル２０の装着に伴う機能の設定変更（所定機能と付加機能の設定変更）を行なうか否かを利用者による認証（携帯電話機１の操作キーによる暗証番号入力又は指紋認証など）により確認する（Ｓ１０３、Ｓ１０６、Ｓ１０９）（機能設定変更確認ステップ）。利用者による認証処理が完了した場合は、制御部１０２が所定機能を設定変更する図示しない制御信号と付加機能を設定変更する設定変更信号１０７とを出力して、携帯電話機１を設定ａ、設定ｂ、設定ｃのいずれかに設定変更（Ｓ１０４、Ｓ１０７、Ｓ１１０）して所定機能及び付加機能を設定変更する（所定機能設定変更ステップ及び付加機能設定変更ステップ）。カメラ機能付２６、スピーカ機能付２７、開口部付２８を装着した際の携帯電話機１の機能設定として、例えば、図８の一覧表に示す設定ａ、ｂ、ｃの設定内容が利用者によって任意に設定されていてもよい。
【００４３】
次に、背面パネル２０としてスピーカ機能付２７（図７参照）が装着された場合を例にとって、詳細に説明する。この場合は、図８の設定ｂが選択されることになる。背面表示部３３の背面表示使用領域は、開口部２７ａの流線形の形状に合わせ図８の背面表示使用領域ｂ（所定の設定）となって流線形となる（標準の背面表示部３３の形状は、図５（ｂ）に示す長方形）。画面表示内容（例えば、時計表示であればアナログ／デジタル時計の選択）、待受画像、文字（サイズ、フォント、色）が図８の表示欄の設定ｂ（所定の設定）に設定変更される。着信報知音（着メロ）、キー操作音、電話帳、ｗｅｂ接続の際のブックマーク、通信制限（着信拒否、発信制限、ｗｅｂ接続制限）が図８の設定ｂ（所定の設定）に設定変更される。着信メール等を合成音声により出力する際のテキストリーダー（抑揚・語調、速度、音量、声質等）が有効とされる。この際、テキストリーダーと伴に出力される効果音（例えば、テキスト内容に沿った効果音）挿入有無が設定されても良い。
【００４４】
図示していないが、背面パネル２０としては、さらに以下に説明する機能を備える背面パネル２０が図１及び図７に示す背面パネル２０に加えて装着される。その第１は、カメラ性能の向上に伴ってバージョンアップした背面パネル２０である。その第２は、カメラ機能の付いたカメラ機能付２１、２６をさらに向上させたもので、使用場所に適合する撮影用フラッシュを付加した背面パネル２０である。その第３は、スピーカ機能付２２、２７を発展させたもので、ステレオスピーカ搭載などの音響に特化してカスタマイズした背面パネル２０である。
【００４５】
《第３の実施形態》第３の実施形態は、第２の実施形態における付加機能を除いた形態であり、第２の実施形態における付加機能以外の内容は全て第３の実施形態に適用される。
【００４６】
図１、図４、図６、図７を参照して第３の実施形態について詳細に説明する。第３の実施形態における背面パネル２０としては、図１０に示す付加機能の無い開口部付２９、開口部付２５（図１（ｇ）参照）、開口部付２８（図７（ｃ）参照）が装着される。
【００４７】
第３の実施形態では、所定機能の設定変更が背面パネル２０の装着を検出した本体部１０の制御部１０２によって行われる。本体部１０には固定したＬＣＤ（Ｌｉｑｕｉｄ  Ｃｒｙｓｔａｌ  Ｄｉｓｐｌａｙ：液晶ディスプレイ）やＥＬ（Ｅｌｅｃｔｏｒｏ  Ｌｕｍｉｎｅｓｃｅｎｃｅ：エレクトロルミネッセンス）で配設される背面表示部３３が備えられ（図６参照）、背面パネル２０には例えば開口部２９ａが配設される。開口部２９ａの形状に合わせて背面表示部３３の表示使用領域を本体部１０の制御部１０２が制御する。例えば、背面表示部３３の少なくとも一部領域にタッチパネルの機能を備え、制御部１０２（図４参照）が背面表示部３３のタッチパネルの領域（入力機能）を、装着された開口部付２９の開口部２９ａの形状（楕円形、流線形、長方形など）に合わせて制御する。開口部付２９を装着すると、開口部２９ａ背面表示部３３の少なくとも一部が外部に露出する。
【００４８】
《第４の実施形態》第４の実施形態は、第１〜第３の実施形態で用いられている背面パネル２０の着脱ではなく、フェースプレート６０が携帯電話機１の正面側において着脱される形態である。
【００４９】
最初に、第４の実施形態の概略を説明する。フェースプレート６０（図１２参照）は、装着を検出した本体部５０の制御部５０２（図１２参照）によって、本体部５０が有する所定機能（図１３参照）の設定変更を行うが、カメラ機能などの付加機能は有していない。フェースプレート６０は、所定機能の設定変更を行うと共に、デザインの変更、色の変更などを行う。フェースプレート６０と背面表示部３３との間には直接の関係はない。
【００５０】
次に、図１１、図１２、図１３を参照して第４の実施形態について詳細に説明する。
【００５１】
図１１は、第４の実施形態を示す携帯電話機の構成図である。（ａ）はフェースプレート６０を携帯電話機２に装着した正面図、（ｂ）はフェースプレートの正面図、（ｃ）はフェースプレートの側面図である。
【００５２】
フェースプレート６０は、上側フェースプレート６１と下側フェースプレート６２とからなり、ラッチ凸部６０９〜６１６で携帯電話機２の正面側において着脱される。携帯電話機２が折り畳み型以外の場合には、上側フェースプレート６１と下側フェースプレート６２は一体に形成される。上側フェースプレート６１は携帯電話機２の表示部がある部分に、下側フェースプレート６２は携帯電話機２の操作部がある部分に装着される。上側フェースプレート６１は、ラッチ凸部６０９〜６１２（第１装着手段）、携帯電話機２の表示部を露出させる第１開口部６１７を備える。下側フェースプレート６２は、ラッチ凸部６１３〜６１６（第１装着手段）、操作部を露出させる第２開口部６１８と第３開口部６１９、結合端子６２１（第１結合手段）を備える。携帯電話機２は、ラッチ凹部６０１〜６０８（第２装着手段）、結合端子５０４（第２結合手段）を備える。
【００５３】
ラッチ凹部とラッチ凸部とで嵌合する装着手段の他に、ビスなどの装着手段で嵌合することも可能であり、その他適切な装着手段が適用される。
【００５４】
図１２は、第４の実施形態のブロック図である。本体部５０は、検出部５０１、制御部５０２、電源部５０３、結合端子５０４を含んで構成される。フェースプレート６０は、フェースプレートのタイプを識別するフェースプレート識別信号６２２を出力するフェースプレート識別部６２０を含んで構成される。
【００５５】
次に、フェースプレート６０の装着方法について説明する。携帯電話機２において、上側フェースプレート６１及び下側フェースプレート６２は第１装着手段及び第２装着手段を解放することによって取り外されているものとする。ラッチ凸部６０９〜６１２はそれぞれラッチ凹部６０１〜６０４に嵌合し、ラッチ凸部６１３〜６１６はそれぞれラッチ凹部６０５〜６０８に嵌合することによってフェースプレート６０が携帯電話機２に装着される（装着ステップ）。同時に、結合端子６２１が結合端子５０４に嵌合してフェースプレート識別部６２０から出力するフェースプレート識別信号６２２が結合端子６２１、５０４を経由して検出部５０１に入力される。検出部５０１は、フェースプレート識別信号６２２を入力して、装着されたフェースプレート６０のタイプを判別してタイプ判別信号６２３を出力する（タイプ判別ステップ）。制御部５０２は、タイプ判別信号６２３を入力して、本体部５０の所定機能（図１３参照）を設定変更する（所定機能設定変更ステップ）。
【００５６】
図１３は、フェースプレートのタイプと所定機能を示す一覧表で、フェースプレート６０のタイプａ、ｂ、ｃに対応する所定機能の内容が示されている。タイプａ、ｂ、ｃをそれぞれパーソナル平日用、パーソナル休日用、ビジネス用などとして、設定ａ、ｂ、ｃの内容、デザイン、色を用途に応じて適宜決めておくことによって、更なるカスタマイズができる。フェースプレートタイプａ、ｂ、ｃに限定することなく、適宜設定することが可能である。
【００５７】
第１〜第４の実施形態で、折り畳み型の携帯電話機を参照して説明したが、本発明は折り畳み型以外の携帯電話機に適用できることはいうまでもない。
【００５８】
【発明の効果】
第１の実施形態によれば、カメラやスピーカなどの付加機能を有する背面パネルを着脱して背面パネルが有する付加機能を設定変更し、本体部が有する所定機能を設定変更するので、ユーザの好みや用途に合わせた携帯電話機のカスタマイズやバージョンアップが行えることである。
【００５９】
第２の実施形態によれば、カメラやスピーカなどの付加機能を有する背面パネルを着脱して背面パネルが有する付加機能を設定変更し、背面パネルの開口部の形状に合わせて背面表示使用領域を楕円形、流線形などにする表示、音、メモリアクセス、通信制限など本体部が有する所定機能を設定変更するので、ユーザの好みや用途に合わせた携帯電話機のカスタマイズやバージョンアップが行えることである。
【００６０】
第３の実施形態によれば、カメラやスピーカなどの付加機能を有しない背面パネルを着脱して本体部が有する表示、音、メモリアクセス、通信制限などの所定機能を設定変更するので、ユーザの好みや用途に合わせた携帯電話機のカスタマイズができることである。
【００６１】
第４の実施形態によれば、色を含む外観を変更したフェースプレートを着脱して本体部が有する表示、音、メモリアクセス、通信制限などの所定機能を設定変更するので、ユーザの好みや用途に合わせたカスタマイズができることである。
【図面の簡単な説明】
【図１】本発明の第１の実施形態を示す携帯電話機の構成図である。
【図２】携帯電話機の背面パネルの着脱を示す着脱図である。
【図３】携帯電話機の背面パネルの着脱を示す着脱図である。
【図４】携帯電話機のブロック図である。
【図５】携帯電話機の外観図である。
【図６】本発明の第２の実施形態を示す携帯電話機の構成図である。
【図７】本発明の第２の実施形態の携帯電話機の背面に着脱自在な背面パネルの一例である。
【図８】背面パネルの設定と所定機能／付加機能を示す一覧表である。
【図９】本発明の第２の実施形態の携帯電話機の背面パネル装着に伴う設定変更を示すフローチャートである。
【図１０】本発明の第３の実施形態の携帯電話機の背面に着脱自在な背面パネルの一例である。
【図１１】本発明の第４の実施形態を示す携帯電話機の構成図である。
【図１２】本発明の第４の実施形態のブロック図である。
【図１３】フェースプレートのタイプと所定機能を示す一覧表である。
【符号の説明】
１、２    携帯電話機
１０    本体部
１１    操作部
１０１    検出部
１０２    制御部
１０３    電源部
１０４    検出端子
１０５    電源端子
１０６    タイプ判別信号
１０７    設定変更信号
２０    背面パネル
２１    カメラ機能付
２２    スピーカ機能付
２３    表示（ＬＣＤ）機能付
２４    表示（タッチパネル）機能付
２５    開口部付
２６    カメラ機能付
２６ａ    開口部
２６ｂ    カメラ
２７    スピーカ機能付
２７ａ    開口部
２７ｂ    スピーカ
２８    開口部付
２８ａ    開口部
２９    開口部付
２９ａ    開口部
２０１    背面パネル識別部
２０２    付加機能制御部
２０３    付加機能部
２０４    電源制御部
２０５    検出端子
２０６    電源端子
２０７    背面パネル識別信号
２０８    設定変更信号
２０９    付加機能制御信号
３０    着脱部
３１、３２    着脱方向
３３    背面表示部
４０    ヒンジ部
５０    本体部
５０１    検出部
５０２    制御部
５０３    電源部
５０４    結合端子
６０    フェースプレート
６１    上側フェースプレート
６２    下側フェースプレート
６０１〜６０８    ラッチ凹部
６０９〜６１６    ラッチ凸部
６１７    第１開口部
６１８    第２開口部
６１９    第３開口部
６２０    フェースプレート識別部
６２１    結合端子
６２２    フェースプレート識別信号
６２３    タイプ判別信号
【図１】
2004172654.tif 000003
【図２】
2004172654.tif 000004
【図３】
2004172654.tif 000005
【図４】
2004172654.tif 000006
【図５】
2004172654.tif 000007
【図６】
2004172654.tif 000008
【図７】
2004172654.tif 000009
【図８】
2004172654.tif 000010
【図９】
2004172654.tif 000011
【図１０】
2004172654.tif 000012
【図１１】
2004172654.tif 000013
【図１２】
2004172654.tif 000014
【図１３】
2004172654.tif 000015